(57)【要約】【課題】レンズが交換可能な電子撮像装置において、ＣＭＯＳセンサー等の撮像素子または光学素子に塵埃がつきっぱなしのまま放置すると、その塵埃はとれにくくなることを防止する電子撮像装置の提供。【解決手段】光学素子２１の表面に付着する塵を除去する防塵除去手段を備え、電源がＯＦＦにされる動作を検出したら防塵除去手段を駆動して塵埃を除去する。【選択図】図１
2007243902.tif 000002
【特許請求の範囲】
【請求項１】
光学素子の表面に付着する塵を除去する防塵除去手段と、電源がオフにされる動作を検出したときに前記防塵除去手段を駆動する制御手段とを有することを特徴とする電子撮像装置。
【発明の詳細な説明】
【技術分野】
【０００１】
本発明は、電子撮像装置に関し、特に電子カメラ等で撮影した画像データにおいて、ゴミ等の影響を除去する電子撮像装置に関するものである。
【背景技術】
【０００２】
近年、撮影光学系を透過した被写体からの光束（以下、被写体光束という）に基づいて形成される被写体像を所定の位置に配置した固体撮像素子等、例えば電荷結合素子（ＣＭＯＳ。以下、単に撮像素子という）等の光電変換面上に結像させ、当該撮像素子等の光電変換作用を利用して所望の被写体像を表わす電気的な画像信号等を生成し、この画像信号等に基づく信号を、例えば液晶表示装置（ＬＣＤ；Ｌｉｑｕｉｄ  Ｃｒｙｓｔａｌ  Ｄｉｓｐｌａｙ）等の所定の表示装置等へと出力して画像等を表示させたり、撮像素子等によって生成した画像信号等を所定の形態の画像データとして所定の記憶媒体の所定の記憶領域に記憶し、さらにこの記憶媒体に記憶された画像データを読み出して、その画像データに対して表示装置を用いて表示するのに最適な画像信号となるように変換処理した後、処理済の画像信号に基づいて、これに対応する画像を表示させ得るように構成した、いわゆるデジタルスチルカメラやデジタルビデオカメラ等のデジタルカメラ等（以下、デジタルカメラ又は単にカメラという）が、一般的に実用化され広く普及している。
【０００３】
また、一般的なデジタルカメラにおいては、撮影動作に先立って撮影対象となる所望の被写体を観察し、当該被写体を含む撮影範囲を設定する等の目的で、光学的ファインダー装置を備えているのが一般である。
【０００４】
この光学ファインダー装置としては、撮影光学系の光軸上に配設した反射部材等を用いて撮影光学系を透過した被写体光束の進行方向を折り曲げて観察用の被写体像を所定の位置に結像させる一方、撮影動作時には、撮影光学系の光軸上から反射部材を退避させることにより、被写体光束を撮像素子の受光面、即ち光電変換面へと導き、当該光電変換面上に撮影用の被写体像を形成させるように構成したいわゆる一眼レフレックス方式のファインダー装置等が一般的に利用されている。
【０００５】
そして、近年においては、一眼レフレックス方式のファインダー装置を具備すると共に、カメラ本体に対して撮影光学系を着脱自在となるように構成し、使用者が所望するときに所望の撮影光学系を任意に着脱し交換することで、単一のカメラ本体において複数種類の撮影光学系を選択的に使用し得るように構成したいわゆるレンズ交換可能な形態のデジタルカメラが一般に実用化されつつある。
【０００６】
このようなレンズ交換可能な形態のデジタルカメラにおいては、当該撮影光学系をカメラ本体から取り外した際に、カメラ本体の内部に空気中に浮遊する塵埃等が侵入する可能性がある。また、カメラ本体内部には、例えばシャッタ・絞り機構等、機械的に動作する各種の機構が配設されていることから、これら各種の機構等からは、その動作中に塵埃等が発生する場合もある。
【０００７】
一方、撮影光学系をカメラ本体から取り外した際には、当該撮影光学系の後方に配置される撮像素子の受光面（光電変換面とも言う）がカメラ内部の外気に露呈されることになることから、塵埃等が帯電作用等の要因によって撮像素子の光電変換面に付着することがある。
【０００８】
そこで、従来の一眼レフレックス方式のデジタルカメラ等においては、帯電作用等に起因して撮像素子の受光面上に塵埃等が付着するのを抑制するための技術が、例えば特許文献１等によって提案されている。
【０００９】
特許文献１に開示されている手段は、レンズ交換可能な形態の一眼レフレックス方式のデジタルカメラにおいて、カメラ内部に設けられる撮像素子の受光面を覆うカバー部材の表面に透明電極を設け、この電極に対して直流電圧若しくは数ｋＨｚ〜２０ｋＨｚ程度の周波数の交流電圧を印加することによって、帯電作用によって撮像素子の受光面上に塵埃等が付着するのを抑制するようにしたものである。
【００１０】
特許文献１に開示されている手段によれば、撮像素子に生起する電荷を中和することによって静電気等に起因して撮像素子の受光面に塵埃等が付着するのを抑制することができるというものである。
【特許文献１】特開２０００−２９１３２号公報
【発明の開示】
【発明が解決しようとする課題】
【００１１】
しかしながら、前記従来技術では、電子撮像装置において所定時間ＣＭＯＳセンサー等の撮像素子または光学素子に塵がついた状態が持続されると、塵がとれにくくなるという問題があった。
【００１２】
本発明は、以上の点に鑑みて成されたものであって、光学素子の表面に付着した塵をとれやすくすることのできる電子撮像装置の提供を目的とするものである。
【課題を解決するための手段】
【００１３】
前記課題を解決するために、本願発明の電子撮像装置は、以下の構成を備える。
【００１４】
（１）光学素子の表面に付着する塵を除去する防塵除去手段と、電源がオフにされる動作を検出したときに前記防塵除去手段を駆動する制御手段と有することを特徴とする電子撮像装置。
【発明の効果】
【００１５】
本発明によれば、塵が光学素子の表面に付着した状態を防ぐことができる。
【発明を実施するための最良の形態】
【００１６】
以下、図示の実施の形態によって本発明を説明する。
【実施例】
【００１７】
まず、本発明の一実施形態のカメラについて、その概略的な構成を以下に説明する。
【００１８】
図１は、本発明の実施形態のカメラの概略的な構成を示す図であって、本カメラの主に電気的な構成を概略的に示すブロック構成図である。
【００１９】
本カメラ１の内部には、複数の回路基板が配設され、各種の電気回路を構成している。本カメラ１の電気的な構成は、図１に示すように、例えば本カメラ１の全体を統括的に制御する制御手段であり制御回路であるＣＰＵ４１と、撮像素子２７によって取得した画像信号に基づいて記憶に適合する形態の信号に変換する信号処理等、各種の信号処理を施す画像信号処理回路１６ａと、この画像信号処理回路１６ａによって処理済みの画像信号や画像データ及びこれに付随する各種の情報等を一時的に記憶するワークメモリ１６ｂと、この画像信号処理回路１６ａによって生成された所定の形態の記憶用の画像データを所定の領域に記憶する記憶媒体４３と、この記憶媒体４３と本カメラ１の電気回路とを電気的に接続すべく構成される記憶媒体インタフェース４２と、画像を表示するための液晶表示装置（ＬＣＤ）等からなる表示部４６と、この表示部４６と本カメラ１との間を電気的に接続し、画像信号処理回路１６ａによって処理済の画像信号を受けて表示部４６を用いて表示するのに最適な表示用の画像信号を生成する表示回路４７と、乾電池等の二次電池等からなる電池４５と、この電池４５又は所定の接続ケーブル等（図示せず）により供給される外部電源（ＡＣ）からの電力を受けて、本カメラ１を動作させるのに適するように制御し、各電気回路へと配電する電源回路４４と、撮像ユニット１５に含まれる防塵フィルタ２１を振動させるためにＣＰＵ４１から出力される制御信号にしたがって圧電素子２２を駆動制御する電気回路（駆動回路）であって発振器等からなる防塵フィルタ駆動部４８と、ダストプロファイルと撮影画像をＰＣに転送する通信インタフェース４９のＵＳＢ、ＩＥＥＥ１３９４等からなる。なお、１２ａはレンズ、１４はシャッタ部である。
【００２０】
次に電子撮像装置の塵とり動作に関して図２を用いて説明する。電源をＯＮ（ステップＳ２０１）すると、まずアクティブスイープを前回実行してから所定時間、すなわち予め定められた時間が経過しているかどうか判別する（ステップＳ２０２）。所定時間経過していたならば、アクティブスイープを所定回数実行したかどうか判別する（ステップＳ２０３）。所定回数行っていないならば、再びアクティブスイープを動作開始（ステップＳ２０４）させる。ステップＳ２０２において所定時間経過していなかったならば、電源をＯＦＦされたかどうかを検出し（ステップＳ２０５）、電源ＯＦＦされたならば、アクティブスイープを所定回数実行したかどうか判別する（ステップＳ２０６）。所定回数実行していないならば、アクティブスイープを再び動作させ（ステップＳ２０７）、終了する。ステップＳ２０５において電源がＯＦＦされていなかったならば、再び所定時間が経過するまで待ちつづける（ステップＳ２０２）。ステップＳ２０３あるいはステップＳ２０６にて、アクティブスイープを所定回数実行していたならば、動作を終了する。
【図面の簡単な説明】
【００２１】
【図１】本実施例の一眼レフデジタルカメラのブロック図
【図２】本実施例の一眼レフデジタルカメラの動作フローチャート
【符号の説明】
【００２２】
１      カメラ
１２ａ  レンズ
１４    シャッタ部
１５    撮像ユニット
１６ａ  画像信号処理回路
１６ｂ  ワークメモリ
２１    防塵フィルタ（光学素子；防塵部材）
２７    撮像素子（ＣＣＤ；光電変換素子）
４１    ＣＰＵ
４８    防塵フィルタ駆動部
４９    通信インタフェース
【図１】
2007243902.tif 000003
【図２】
2007243902.tif 000004